(57)【要約】      （修正有）【課題】動作不良を抑制することができつつ、小型化することの可能な電磁リレーを得る。【解決手段】コイル部と接点部９とを有する電磁リレー本体部２０と、電磁リレー本体部２０を収納するケース５と、電磁リレー本体部２０のコイル部のみを外側から覆うコイルカバーと、を備える。前記コイル部は、コイル１１と、前記コイル１１が巻回される胴部１２と前記胴部１２の一端部および他端部にそれぞれ設けられる一対のフランジ部１３，１４とを有したコイルボビンと、を備えており、前記コイルカバーは、前記コイル部の外周を覆う筒状に形成されるとともに、当該筒状のコイルカバーを二分割した第１のカバー体３および第２のカバー体４から成る前記コイルカバーを、前記コイルボビンの一対のフランジ部１３，１４間に嵌合させた。【選択図】図１
2013218948.tif 000002
【特許請求の範囲】
【請求項１】
コイル部と接点部とを有する電磁リレー本体部と、
前記電磁リレー本体部を収納するケースと、
前記電磁リレー本体部のコイル部のみを外側から覆うコイルカバーと、
を備えることを特徴とする電磁リレー。
【請求項２】
前記コイル部は、コイルと、前記コイルが巻回される胴部と前記胴部の一端部および他端部にそれぞれ設けられる一対のフランジ部とを有したコイルボビンと、を備えており、
前記コイルカバーを、前記コイルボビンの一対のフランジ部間に嵌合させたことを特徴とする請求項１に記載の電磁リレー。
【請求項３】
前記コイルカバーは、前記コイル部の外周を覆う筒状に形成されるとともに、当該筒状のコイルカバーを二分割した第１のカバー体および第２のカバー体から成ることを特徴とする請求項１または２に記載の電磁リレー。
【発明の詳細な説明】
【技術分野】
【０００１】
本発明は、電磁リレーに関する。
【背景技術】
【０００２】
一般的に、電磁リレーは、コイル部と接点部とを有した電磁リレー本体部を、ケースに収納することで形成される。そして、このような電磁リレーを稼動させると、コイル部のコイルが熱せられ、電磁リレー本体部のコイル巻回部分に蓄えられた水分が気化し、水蒸気となって放出される。このとき、電磁リレーが低温雰囲気に曝されていると、水蒸気が結露してケース内面に水滴が付着し、ケース内面に付着した水滴が流下して接点部に到達してしまう恐れがある。そして、接点部に流下した水滴が氷結すると、電磁リレーが動作不良を起こしてしまう。
【０００３】
そこで、コイル部をそのコイル部の外側から軟質合成樹脂製のカバーで覆うことで、コイル部を外気に対して密閉するようにした防止コイル構造が提案されている（例えば、特許文献１参照）。
【先行技術文献】
【特許文献】
【０００４】
【特許文献１】特開２００１−３４３０８５号公報
【発明の概要】
【発明が解決しようとする課題】
【０００５】
しかしながら、上記従来技術にあっては、カバーがコイル部に加えてリード線の先端に設けられた接点部も一体に外側から覆う構造となっている。そのため、上記特許文献１に記載の防水コイル構造を電磁リレーに適用すると、電磁リレー本体部、ひいてはその電磁リレー本体部をケースに収容した電磁リレー全体が大型化してしまう。
【０００６】
そこで、本発明は、動作不良を抑制することができつつ、小型化することの可能な電磁リレーを得ることを目的とする。
【課題を解決するための手段】
【０００７】
上記目的を達成するために、本発明の第１の特徴は、コイル部と接点部とを有する電磁リレー本体部と、前記電磁リレー本体部を収納するケースと、前記電磁リレー本体部のコイル部のみを外側から覆うコイルカバーと、を備えることを要旨とする。
【０００８】
第２の特徴は、前記コイル部は、コイルと、前記コイルが巻回される胴部と前記胴部の一端部および他端部にそれぞれ設けられる一対のフランジ部とを有したコイルボビンと、を備えており、前記コイルカバーを、前記コイルボビンの一対のフランジ部間に嵌合させたことを要旨とする。
【０００９】
第３の特徴は、前記コイルカバーは、前記コイル部の外周を覆う筒状に形成されるとともに、当該筒状のコイルカバーを二分割した第１のカバー体および第２のカバー体から成ることを要旨とする。
【発明の効果】
【００１０】
本発明によれば、電磁リレー本体部のコイル部のみを外側から覆うコイルカバーを備えるので、コイル部から放出される水蒸気をコイルカバーで遮断することができ、その水分が接点部に到達するのを抑制して、電磁リレーが動作不良を起こしてしまうのを抑制することができる。また、このとき、コイルカバーがコイル部のみを覆うので、電磁リレー本体部をコンパクト化でき、電磁リレー本体部、ひいては電磁リレー全体が大型化してしまうのを抑制することができる。
【図面の簡単な説明】
【００１１】
【図１】本発明の一実施形態にかかる電磁リレーの断面図である。
【図２】本発明の一実施形態にかかるコイルボビンの斜視図である。
【図３】本発明の一実施形態にかかるコイルカバーの斜視図である。
【図４】図２に示すコイルボビンに、図３に示すコイルカバーを取り付けた状態を示す斜視図である。
【発明を実施するための形態】
【００１２】
以下、本発明の実施形態について図面を参照しつつ詳細に説明する。
【００１３】
本実施形態の電磁リレー１０は、図１に示すように、電磁リレー本体部２０と、その電磁リレー本体部２０を収納する箱型のケース５と、を備えている。
【００１４】
電磁リレー本体部２０は、図１および図２に示すように、コイル１１とそのコイル１１が巻回されるコイルボビン１とを有したコイル部と、コイル部のコイル１１と離間して（本実施形態では、ケース５の右上隅部に）配置される接点部９と、を備えている。
【００１５】
コイルボビン１は、合成樹脂などの電気絶縁材料によって円筒状に形成された胴部１２を有しており、その胴部１２の外周に上述したコイル１１を巻回させている。また、コイルボビン１は、胴部１２の上端部（一端部）と下端部（他端部）とにそれぞれ設けられる一対のフランジ部１３、１４を備えている。本実施形態では、上側のフランジ部１３が鍔状に形成されている一方で、下側のフランジ部１４は、上壁部１４ａとその上壁部１４ａの外周側に立設された側壁部１４ｂとを備えて下方側が開放された中空箱型に形成されている。
【００１６】
図１に示すように、コイルボビン１は、横壁部７ａと縦壁部７ｂとを有した断面Ｌ字状の継鉄７と、その継鉄７の縦壁部７ｂの先端（上端）に一端側が揺動自在に枢支された磁性材料の接極子８との間に配置されている。このとき、縦壁部７ｂの側面と接極子８の上面にはバネ１８が取付固定されており、このバネ１８によって後述する可動接点１６と固定接点１７とが非接触状態となるような形状（９０°以上となるＶ字形）で、縦壁部７ｂと接極子８とを保持するようになっている。また、コイルボビン１の胴部１２には、その胴部１２の中心部を貫通する図示せぬ鉄芯が設けられており、その鉄芯の上端を接極子８に対向配置させてある。
【００１７】
接点部９は、接極子８の上側に固定された取付板８ａの先端側（右端側）に設けられた可動接点１６と、その可動接点１６の下方に対向配置された固定接点１７とを備えている。取付板８ａは、図１に示すように、接極子８よりも突出してコイル１１から離間するように延設されており、その延設された取付板８ａの先端側にコイル１１と離間させて可動接点１６を配置している。また、固定接点１７は、本実施形態ではケース５の奥壁に図面手前側に向けて突出させた突出壁５ａに可動接点１６と対向させて配置している。
【００１８】
このように構成された電磁リレー本体部２０は、コイル部のコイル１１に通電して胴部１２の鉄芯（図示せぬ）を励磁させると、接極子８がその鉄芯の上端に引き寄せられ、接極子８がバネ１８に抗して下方に揺動する。したがって、コイルボビン１の励磁状態では、接極子８が下方に揺動した状態となるため、図１に示すように、可動接点１６が固定接点１７と接触した状態（オン）となる。
【００１９】
一方、コイルボビン１の非励磁状態、つまりコイル１１に通電していない状態では、接極子８がバネ１８によって胴部１２の上端と接触しない状態（上述した９０°以上のＶ字形）を保つため、可動接点１６は固定接点１７から離間して非接触状態（オフ）となる。
【００２０】
なお、接点部９の接点構造は、これに限ることなく、接極子８の上下揺動によってオン・オフする接点を備えた構造であればよい。また、可動接点１６や固定接点１７の数は適宜に設定することができる。
【００２１】
ところで、このような電磁リレー本体部２０は、コイル１１に通電して電磁リレー１０を稼動させた際に、コイル１１が熱を持つため、コイル１１の巻回部分に浸入している水分が気化して水蒸気となり、水蒸気がコイル１１から放出されることとなる。
【００２２】
このとき、電磁リレー１０が低温の雰囲気に曝されると、水蒸気は内部の冷たい部分、例えばケース５の内面に結露する。そして、結露により生じた水滴が蓄積すると、ケース５の内面から接点部９に流下してしまう恐れがある。
【００２３】
そこで、本実施形態では、コイル部のコイル１１から放出される水蒸気を遮断するコイルカバー２を設けるとともに、そのコイルカバー２によって電磁リレー本体部２０のコイル部のみを外側から覆うようにしている。
【００２４】
具体的には、図３および図４に示すように、本実施形態のコイルカバー２は、コイル部のコイル１１の外周を覆う矩形筒状に形成されており、その矩形筒状のコイルカバー２を二分割した一対のカバー体３、４から成る。すなわち、本実施形態のコイルカバー２は、底壁３ａとその底壁３ａの両端部に設けられる一対の側壁３ｂとを有した略Ｕ字状（略コ字状）の第１のカバー体３と、同じく底壁４ａと側壁４ｂとを有した略Ｕ字状（略コ字状）の第２のカバー体４とを備えている。そして、本実施形態では、その一対のカバー体３、４によって構成されるコイルカバー２を、コイルボビン１の一対のフランジ部１３、１４間に嵌合させて取り付けるようにしている。
【００２５】
このように、本実施形態では、コイルカバー２を一対のフランジ部１３、１４間に嵌合させるようにしたので、図１に示すように、コイル１１の周縁部には、一対のフランジ部１３、１４とコイルカバー２とで囲われた囲繞空間が形成されることとなる。
【００２６】
このとき、コイルカバー２と上側のフランジ部１３および下側のフランジ部１４の上壁部１４ａとでコイル１１を密閉するようにしてもよいが、本実施形態では、下側のフランジ部１４の上壁部１４ａに一対のスリット１７、１７を設けている。そして、フランジ部１４の側壁部１４ｂの内側に、その一対のスリット１７、１７を介して上述した囲繞空間と連通する水滴捕集部６を形成してある。
【００２７】
なお、本実施形態では、コイルボビン１を継鉄７の横壁部７ａ上に載置するようにしたので、水滴捕集部６は、上壁部１４ａと側壁部１４ｂと継鉄７の横壁部７ａとで囲われた空間部となっている。そして、その水滴捕集部６と上述した囲繞空間とは、コイルボビン１の上側のフランジ部１３、コイルカバー２、下側のフランジ部１４および継鉄７の横壁部７ａで密閉されて、接点部９とは完全に隔離された空間部となっている。
【００２８】
このように、本実施形態の電磁リレー１０にあっては、コイル部のコイル１１のみをコイルカバー２で覆うようにしたので、コイル１１から放出される水蒸気をコイルカバー２で遮断することができるようになる。そして、そのコイルカバー２で遮断、捕捉した水蒸気がコイルカバー２の内面で結露したとしても、その結露により生じた水滴を上壁部１４ａのスリット１７を介して水滴捕集部６に誘導することができる。したがって、電磁リレー１０の稼動に伴い水滴が発生したとしても、その水滴を接点部９とは完全に隔離された水滴捕集部６に誘導して氷結させることができるので、電磁リレー１０が動作不良を起こしてしまうのを確実に抑制することができる。
【００２９】
以上、説明してきたように、本実施形態では、電磁リレー本体部２０のコイル部のみを外側から覆うコイルカバー２を設けている。そのため、コイル部（コイル１１）から放出される水蒸気をコイルカバー２で遮断することができ、その水分が接点部９に到達するのを抑制して、電磁リレー１０が動作不良を起こしてしまうのを抑制することができる。また、このとき、コイルカバー２が電磁リレー本体部２０のコイル部のみを覆うので、電磁リレー本体部２０をコンパクト化でき、電磁リレー本体部２０、ひいては電磁リレー１０全体が大型化してしまうのを抑制することができる。
【００３０】
また、本実施形態では、コイル部がコイル１１とそのコイルが巻回されるコイルボビン１とを備えており、コイルカバー２を、コイルボビン１の一対のフランジ部１３、１４間に嵌合させて取り付けるようにしている。そのため、コイルカバー２によってコイルボビン１を含めたコイル部全体を外側から覆う構成と比べて、更なるコンパクト化が可能となる。また、コイル１１をコイルカバー２とコイルボビン１の一対のフランジ部１３、１４とで密閉してコイル１１を接点部９とは完全に隔離した空間に配置することができるようになり、電磁リレー１が動作不良を起こしてしまうのをより確実に抑制することができる。
【００３１】
さらにまた、本実施形態では、コイルカバー２がコイル部の外周を覆う筒状に形成されるとともに、その筒状のコイルカバー２を二分割した第１のカバー体３および第２のカバー体４から成る。そのため、コイルカバー２の取付作業を簡素化することができ、特に、コイルカバー２をコイルボビン１の一対のフランジ部１３、１４間に嵌合させる構成では、その嵌合取付作業を容易に行うことができる。
【００３２】
以上、本発明の好適な実施形態について説明したが、本発明は上記実施形態には限定されず、種々の変形が可能である。
【００３３】
例えば、上記実施形態では、コイルカバーをコイルの外周を覆う矩形筒状に形成したが、円筒状に形成するようにしてもよい。
【００３４】
また、ケース内に収容される電磁リレー本体部は、通電により鉄芯を励磁するコイル部と、鉄芯の励磁によりオン、オフ切り換えされる接点部と、コイル部のみを外側から覆うコイルカバーとを備えていればよい。
【００３５】
また、ケース、コイルボビンやコイルカバー、その他細部のスペック（形状、大きさ、レイアウト等）も適宜に変更可能である。
【符号の説明】
【００３６】
１    コイルボビン（コイル部）
２    コイルカバー
３    第１のカバー体
４    第２のカバー体
５    ケース
９    接点部
１０  電磁リレー
１１  コイル（コイル部）
１２  胴部
１３  フランジ部
１４  フランジ部
２０  電磁リレー本体部
【図１】
2013218948.tif 000003
【図２】
2013218948.tif 000004
【図３】
2013218948.tif 000005
【図４】
2013218948.tif 000006